(57)【要約】【課題】ゴルフ施設において、情報を電子的に配信することにより、正確性・迅速性を向上させる。【解決手段】ＩＰネットワークに接続可能で、それぞれが固有のＩＰアドレスを有する複数の携帯型移動無線ＩＰ通信端末群０１１〜０１５と、携帯型移動無線無線ＩＰ通信端末０１１〜０１５とＩＰネットワークとを関連付けする複数の中継基地局Ａ、Ｂと、ＩＰネットワークと関連付けされた少なくとも１のサーバ装置０２１であって、携帯型移動無線ＩＰ端末０１１〜０１５のプレーヤが入力したデータを自動的に処理する自動処理装置を有するサーバ装置とを有しており、プレーヤの新たな情報を入力する操作に応じて、自動処理装置が、入力済みのデータに、新規データを追加し、または、更新する。【選択図】　図１
2004097381.tif 000002
【特許請求の範囲】
【請求項１】
ＩＰネットワークに接続可能で、それぞれが固有のＩＰアドレスを有する複数の携帯型移動無線ＩＰ通信端末群と、
あるエリア内に存在する前記携帯型移動無線ＩＰ通信端末と前記ＩＰネットワークとを関連付けする中継基地局を複数含む中継基地局群と、
前記ＩＰネットワークと関連付けされた少なくとも１のサーバ装置と
を有する情報通信システム。
【請求項２】
さらに、前記サーバ装置が、前記移動携帯型無線ＩＰ端末の使用者が入力したデータを自動的に処理する自動処理装置を有しており、
前記使用者が新たな情報を入力する操作に応じて、前記自動処理装置が、入力済みのデータに新規データを追加し、または、更新することを特徴とする請求項１に記載の情報通信システム。
【請求項３】
ゴルフ場内に配置された情報通信システムであって、
ＩＰネットワークに接続可能で、それぞれが固有のＩＰアドレスを有する複数の携帯型移動無線ＩＰ通信端末群と、
あるエリア内に存在する前記携帯型移動無線ＩＰ通信端末と前記ＩＰネットワークとを関連付けする中継基地局を複数含む中継基地局群と、
前記ＩＰネットワークと関連付けされた少なくとも１のサーバ装置であって、前記携帯型移動無線ＩＰ端末のプレーヤが入力したデータを自動的に処理する自動処理装置を有するサーバ装置とを有しており、
前記プレーヤが新たなデータを入力する操作に応じて、前記自動処理装置が、入力済みのデータに新規データを追加し、または、更新することを特徴とする情報通信システム。
【請求項４】
前記プレーヤが入力するデータは、ゴルフのスコアデータを含むことを特徴とする請求項３に記載の情報通信システム。
【請求項５】
前記自動処理装置が、前記携帯型無線ＩＰ端末のＩＰアドレスからデータの送信者を識別し、任意の送信者別にスコアデータをグループ化し、新規スコアデータを順次追加または更新し、順位表データを作成することを特徴とする請求項３に記載の情報通信システム。
【請求項６】
前記の順位表データを、該携帯型無線通信端末のＩＰアドレスに基づいて任意にグループ分けされたグループ別に配信することを特徴とする請求項５に記載の情報通信システム。
【請求項７】
前記中継基地局のそれぞれは、それぞれのホールのエリア内のみをカバーすることを特徴とする請求項３に記載の情報通信システム。
【請求項８】
ＩＰネットワークに接続可能で、それぞれが固有のＩＰアドレスを有し撮影機能を備えた複数の固定式無線通信機能付ＩＰカメラ群と、
前記固定式無線通信機能付ＩＰカメラと前記ＩＰネットワークとを関連付けする複数の中継基地局と、
前記ＩＰネットワークと関連付けされた少なくとも１のサーバ装置と
を有する画像監視・解析システム。
【請求項９】
さらに、前記サーバ装置が、前記固定式無線通信機能付ＩＰカメラが撮影した画像データを自動的に編集処理する自動編集処理装置を有しており、
前記画像データの新たな入力に応じて、前記自動編集処理装置が入力済みの画像データを編集し、蓄積し、または、一覧化することを特徴とする請求項７に記載の画像監視・解析システム。
【請求項１０】
前記固定式無線通信機能付ＩＰカメラは、
ゴルフ場のコース毎に各ホールのティショットグランドを撮影する位置に設置されていることを特徴とする請求項７又は８に記載の画像監視・解析システム。
【請求項１１】
前記自動編集処理装置は、前記の画像データから、プレーヤの動作を含む一連の行動の画像解析を行い、必要な画像部分だけを抽出し、記録することを特徴とする請求項９に記載の画像監視・解析システム。
【請求項１２】
前記の記録画像は、送信時間、撮影場所の情報を付与されて前記サーバ装置に保存され、その時間、場所情報から該記録画像を検索可能で、別途記録メディアへの保存や、電子メール等の手段で送信できることを特徴とする請求項９又は１０に記載の画像監視・解析システム。
【請求項１３】
前記の画像データからサーバ装置が各ティショットグランドにおける人物の有無を解析し、人物の有無に関する情報を前記携帯型無線ＩＰ端末に発信することを特徴とする請求項８に記載の画像監視・解析システム。
【請求項１４】
ＴＣＰ／ＩＰに基づき通信可能かつＩＰネットワークに接続可能で、個別にＩＰアドレスを有する持ち複数の固定式通信機能付電波送受信機を有する複数の受発信機群と、前記無線中継基地局を経由してネットワーク接続する前記サーバ装置とによって構成される情報通信システム。
【請求項１５】
ＴＣＰ／ＩＰに基づき通信可能かつＩＰネットワークに接続可能で、個別にＩＰアドレスを有する持ち複数の固定式通信機能付電波送受信機を有する複数の受発信機群と、前記無線中継基地局を経由してネットワーク接続する前記サーバ装置とによって構成される送受信システムにおける認証システムであって、
前記の固定式通信機能付電波受発信機から発せられる電波を受け、その電波に共振して前記電波送受信信機に電波を返信するＲＦＩＤチップとにより構成される、認証システム。
【請求項１６】
前記の固定式通信機能付電波受発信機が前記ＲＦＩＤから認証する情報として、ゴルフ場のコース上において、該ＲＦＩＤチップを内蔵するゴルフボールから、該ボールの所有者情報であることを特徴とする請求項１５に記載の認証システム。
【発明の詳細な説明】
【０００１】
【発明の属する技術分野】
本発明は、ＩＰネットワークに接続可能で、個別にＩＰアドレスを有する複数の携帯型移動無線ＩＰ通信端末群と、無線ＬＡＮアクセスポイントと一般的に呼称される無線中継基地局と、ＩＰネットワーク接続する少なくとも１台のサーバ装置とによって構成される情報通信システムに関し、特に、ゴルフ場において用いられる情報通信システムに関する。
【０００２】
また、ＩＰネットワークに接続通信可能で、個別にＩＰアドレスを持ち有する、撮影機能を有する複数の固定式無線通信機能付ＩＰカメラ群と、前記無線中継基地局を経由してネットワーク接続する、少なくとも１台のサーバ装置とによって構成される、画像配信システムに関する。
【０００３】
さらに、ＩＰネットワークに接続可能で、個別にＩＰアドレスを有する持ち複数の固定式通信機能付電波受発信機機能を有する複数の受発信機群と、前記無線中継基地局を経由してネットワーク接続する、少なくとも１台の前記サーバ装置とによって構成される、情報受発信システムに関する。
【０００４】
加えて、所有者情報を予め書き込むことができ、固定式通信機能付電波受発信機からの電波から発せられる電波に共振して、前記所有者情報を該電波受発信機へ無線で送信するＲＦＩＤチップに関する。
【０００５】
【従来の技術】
現在、ゴルフ施設において、利用者がプレーする際に、紙にスコアを記入するのが一般的である。その他の情報、例えば、プレーヤが打ったボールの行き先や先のホールの混み具合状況、ゴルフ施設のグリーンの芝状態やその日のカップ位置の情報、コースごとの風向き、風の強さ、花粉飛散情報、落雷警報と避難経路等のコース内の状況などに関する情報は、口頭によって伝達されたり、目視により確認したりしている。
【０００６】
プロの大会のような特殊な試合を除き、プレーヤ間のスコアに関する情報交換は、通常、プレーヤ同士のスコアシートを互いに確認し、プレー後の順位表作成は別途まとめ直すことによって行われる。さらに、ゴルフをプレーする場面の写真撮影やビデオ撮影の際は、プレーヤが個人的に撮影用機器を持参して、人が撮影し、撮影後は次のホールへ撮影用機器を運搬する。
【０００７】
【発明が解決しようとする課題】
ゴルフ施設において利用者がスコアを紙に記入する際には、記入方法に習熟していない初心者プレーヤは、特に、ハンディキャップ計算などに手間と時間とがかかる。プレーヤ間のスコア情報交換は、同じ組に属するプレーヤのスコアの場合には確認が簡単であるが、他の組に属するプレーヤのスコア状況は、プレー終了後に記入済みのスコアシートをプレーヤ同士が互いに確認するしかなく、プレー中には確認することが難しかった。また、プレー終了後の最終的な順位表作成に関しても別途行う手間がかかる。
【０００８】
加えて、ショット後のゴルフボールの位置、次ホールの混み具合、ゴルフ施設のグリーンの芝の状態やその日のカップ位置に関する情報、コース毎の風向き、風の強さ、花粉飛散情報、落雷警報と避難経路等などのコース内の状況に関する情報は、口頭によって伝達されたり目視で確認したりしているため正確性に乏しい。
【０００９】
また、ゴルフをプレーする場面の写真や、ビデオなどの撮影をする際には、プレーヤが個人的に撮影用機器を持参して、人が撮影し、撮影後は次のホールへ機器を運搬する労力が必要となる。撮影用機器に気を取られると、プレーに集中できなくなる場合もある。
【００１０】
【課題を解決するための手段】
本発明の一観点によれば、ＩＰネットワークに接続可能で、それぞれが固有のＩＰアドレスを有する複数の携帯型移動無線ＩＰ通信端末群と、あるエリア内に存在する前記携帯型移動無線ＩＰ通信端末と前記ＩＰネットワークとを関連付けする中継基地局を複数含む中継基地局群と、前記ＩＰネットワークと関連付けされた少なくとも１のサーバ装置とを有する情報通信システムが提供される。
上記情報通信システムによれば、前記携帯型移動無線ＩＰ通信端末のそれぞれに固有のＩＰアドレスとに基づいて、あるエリア内の携帯型移動無線ＩＰ通信端末に対して選択的に情報を配信することができる。
【００１１】
また、ゴルフ場内に配置された情報通信システムであって、ＩＰネットワークに接続可能で、それぞれが固有のＩＰアドレスを有する複数の携帯型移動無線ＩＰ通信端末群と、あるエリア内に存在する前記携帯型移動無線ＩＰ通信端末と前記ＩＰネットワークとを関連付けする中継基地局を複数含む中継基地局群と、前記ＩＰネットワークと関連付けされた少なくとも１のサーバ装置であって、前記携帯型移動無線ＩＰ端末のプレーヤが入力したデータを自動的に処理する自動処理装置を有するサーバ装置とを有しており、前記プレーヤが新たなデータを入力する操作に応じて、前記自動処理装置が、入力済みのデータに、新規データを追加し、または、更新することを特徴とする情報通信システムが提供される。
【００１２】
上記情報通信システムによれば、プレーのリアルタイム情報を提供することができる。前記プレーヤが入力するデータは、ゴルフのスコアデータを含むのが好ましい。前記プレーヤが入力するデータは、例えば、次ホールの打数、もしくはドラコン、ニアピンの記録などである。
【００１３】
本発明の他の観点によれば、ＩＰネットワークに接続可能で、それぞれが固有のＩＰアドレスを有し撮影機能を備えた複数の固定式無線通信機能付ＩＰカメラ群と、前記固定式無線通信機能付ＩＰカメラと前記ＩＰネットワークとを関連付けする複数の中継基地局と、前記ＩＰネットワークと関連付けされた少なくとも１のサーバ装置とを有する画像監視・解析システムが提供される。上記情報通信システムによれば、プレーのリアルタイム画像を提供することができる。
【００１４】
好ましくは、さらに、前記サーバ装置が、前記固定式無線通信機能付ＩＰカメラが撮影した画像データを自動的に編集処理する自動編集処理装置を有しており、前記画像データの新たな入力に応じて、前記自動編集処理装置が、入力済みの画像データを編集し、蓄積し、または、一覧化することが好ましい。
【００１５】
本発明の別観点によれば、ＴＣＰ／ＩＰに基づき通信可能で、ＩＰネットワークに接続可能で、個別にＩＰアドレスを有する持ち複数の固定式通信機能付電波送受信機を有する複数の受発信機群と、前記無線中継基地局を経由してネットワーク接続する前記サーバ装置とによって構成される送受信システムにおける認証システムであって、前記の固定式通信機能付電波受発信機から発せられる電波を受け、その電波に共振して前記電波送受信信機に電波を返信するＲＦＩＤチップとにより構成される認証システムが提供される。
前記の固定式通信機能付電波受発信機が前記ＲＦＩＤから認証する情報としては、ゴルフ場のコース上において、該ＲＦＩＤチップを内蔵するゴルフボールから、該ボールの所有者情報である。
【００１６】
【発明の実施の形態】
本発明の実施の形態について説明する前に、発明者の行った考察についてまず説明する。発明者は、情報受発信や画像配信の無線通信手段として、例えば、近年普及がめざましく、導入費用も比較的安価な、ＩＥＥＥ８０２．１１等の無線ＬＡＮ方式を活用することを思い付いた。活用場所は、郊外型施設内、例えばゴルフ施設内に限られる。この点で、市街地などで行われている無線ＬＡＮ接続サービスのように不特定多数の利用者に提供するサービスと異なる。すなわち、郊外型施設内で活用する無線ＬＡＮは、利用者は、予め予測できるプレーヤ数の範囲内であるため、アクセス数も限定的であり、回線不足も発生せず安定した通信品質を保証できる。
【００１７】
携帯型移動無線ＩＰ通信端末には、プレーヤが各ホールごとの打数を、キー操作またはタッチパネル操作で入力することができ、入力に応じて自動的にスコア計算する。従って、複雑な計算を必要とせず初心者でも取り扱いが容易である。計算の結果は、最寄りの無線中継基地局を経由して、サーバ端末へ送信される。サーバ端末は、複数の携帯型移動無線ＩＰ通信端末から受けたスコア計算結果を一括処理し、プレーヤの順位通りに並べたり、順位表データを作成したりすることができ、これらを携帯型移動無線ＩＰ通信端末に返信する。これにより、プレーヤは、他プレーヤも含めた順位などの情報をリアルタイムに確認することが可能となる。
【００１８】
例えば、各コース内に、固定式無線通信機能付ＩＰカメラを設置し、例えば常にティショットグランドを撮影し、サーバ端末に配信するようにしても良い。サーバ端末は、受信した画像に基づいて、プレーヤがティショットする画像を解析・抽出し、希望者に画像のダウンロードサービスなどを行うことができる。これにより、プレーヤは撮影機器等の持参、運搬、および、これによる撮影を行うこと必要がなくなる。
【００１９】
尚、ゴルフ施設の運営者にとっては、ダウンロードサービスなどが新たな収入源ともなる。サーバ端末は、受信した画像からプレーヤがティショットグランドへのプレーヤの有無を常時監視状態にあり、プレーヤがいるホールといないホールを、常に把握することも可能となる。さらに、各コース内には、固定式無線通信機能付電波受発信機を複数設置しておいても良い。固定式無線通信機能付電波受発信機が、コース上にくまなく電波を発信して電波網を形成しておく。例えば、ゴルフボールに内蔵するＲＦＩＤチップに書き込まれた所有者情報を識別し、所有者情報を固定式無線通信機能付電波受発信機からサーバ装置に送信する。サーバ装置側は、固定式無線通信機能付電波受発信機の位置から、ゴルフボールの大まかな位置と、ボールの所有者とを把握することができる。
【００２０】
携帯型移動無線ＩＰ通信端末は、サーバ装置が配信する順位表データ、ホールのプレーヤの有無状況、ゴルフボールの位置情報、さらにゴルフ施設側が入力するグリーンの芝状態、その日のカップ位置の情報、コースごとの風向き、風速、花粉飛散情報、落雷警報と避難経路等の各種データを、最寄りの無線中継基地局から無線で受信し、表示することができる。
【００２１】
上記考察に基づき、本発明の実施によるゴルフ施設における無線ＬＡＮを利用した情報サービスシステムについて図面を参照しつつ説明する。図１は、本実施の形態による情報通信システムの概要を示す図である。
【００２２】
図１に示すように、ゴルフ場内に、ＩＰネットワークに接続可能で、それぞれが固有のＩＰアドレスを有する複数の携帯型移動無線ＩＰ通信端末群０１１から０１５までと、携帯型移動無線無線ＩＰ通信端末０１１から０１５までとＩＰネットワークとを関連付けする複数の中継基地局Ａ〜Ｃと、ＩＰネットワークと関連付けされた少なくとも１のサーバ装置０２１であって、移動携帯型無線ＩＰ端末のプレーヤが入力したデータを自動的に処理する自動処理装置を有するサーバ装置０２１とを有している。さらに、サーバ装置０２１はプリンタを有していても良い。
【００２３】
携帯型移動無線無線ＩＰ通信端末０１１から０１３までは、団体Ａに属するそれぞれのプレーヤが所持している。携帯型移動無線無線ＩＰ通信端末０１４及び０１５は、団体Ｃに属するそれぞれのプレーヤが所持している。各プレーヤが携帯型移動無線無線ＩＰ通信端末０１１から０１５までのいずれかにより新たな情報を入力する操作に応じて、自動処理装置が、入力済みのデータに、新規データを追加し、または、更新することができる。
【００２４】
図２に示すように、ＩＰネットワークに接続可能で、それぞれが固有のＩＰアドレスを有し撮影機能を備えた複数の固定式無線通信機能付ＩＰカメラ群１２１から１２３まで及び１３７，１３８が設けられ、固定式無線通信機能付ＩＰカメラと中継基地局Ａ、ＢとがＩＰネットワークにより関連付けされている。
【００２５】
さらに、サーバ装置０２１が、固定式無線通信機能付ＩＰカメラ１２１から１２３まで及び１３７，１３８が撮影した画像データを自動的に編集処理する自動編集処理装置を有している。自動編集処理装置は、画像データの新たな入力に応じて、入力済みの画像データを編集し、蓄積し、または、一覧化することができる。専用画面には、ショット番号と、ホール番号と時間との一覧を表示させることができる。この一覧中から所望のデータを選択してクリックすると、該当するショットの画像を取り出したり表示させたりすることができる。
【００２６】
以下、本実施の形態についてより詳細に説明する。図３は、ゴルフ施設と、そこに配置された中継基地局などの位置を示す平面図である。図３に示すように、プレーヤは、携帯型移動無線ＩＰ通信端末０１１から０１５までをプレー中に持ち歩く。携帯型移動無線ＩＰ通信端末０１１から０１５までは、バッテリを内蔵し、文字や地図表示ができる搬送可能端末であり、例えばノート型パーソナルコンピュータＰＣ、ＰＤＡ（Ｐｅｒｓｏｎａｌ　Ｄｉｇｉｔａｌ　Ａｓｓｉｓｔａｎｔ）、携帯型ＩＰ電話機などである。ノート型ＰＣの場合は、カートに積み込み、カートまで操作に行く場合もあるが、ＰＤＡや携帯型ＩＰ電話機は、ポケットに入るサイズであり、プレーをしながら持ち歩くことができる。
【００２７】
さらに、ウエアラブル性があれば身に付けてプレーできるので、好ましい。また、携帯型ＩＰ電話機の場合は、常時待ち受け状態にあるので、リアルタイムに交信できる利点があり好ましい。携帯型移動無線ＩＰ通信端末は、各々固有のＩＰアドレスを有し、このＩＰアドレスの情報により、同一時間帯に同一エリア内で複数使用される場合におけるサーバ装置側による一元管理が可能となる。
【００２８】
ゴルフ施設運営者００１が所有するサーバ装置０２１は、ＩＰネットワークに常時接続可能な状態にあるコンピュータ端末であり、また、ゴルフ施設内のコース上に設置した複数の無線中継基地局を介して、携帯型移動無線ＩＰ通信端末０１１から０１５までと常時接続可能な状態にある。
【００２９】
ゴルフ施設運営者００１は、複数の無線中継基地局１０１から１１３までを、コース内の各所に設置する。無線中継基地局１０１から１１３までは、例えば、最低限、コース全域のエリアを無線がカバーするのに必要な位置に必要な数だけ設置する。無線中継基地局１０１から１１３までのそれぞれは、例えば、あるホール内のみをカバーできるようにしておけば、プレーヤがどのホールにおいてプレーしているかを自動的に知ることができる。
【００３０】
ゴルフ施設の各ホールに向けて各ホールのティショットグランドを撮影する角度に、固定式無線通信機能付ＩＰカメラ１２１から１３８までを設置する。サーバ装置０２１は、固定式無線通信機能付ＩＰカメラ１２１から１３８とも常時接続状態にあり、撮影した画像データを常時受信することができる。
【００３１】
図４は、本実施の形態による固定型電波発受信機の設置例を示す図である。図４に示すように、ゴルフ施設内各所には、同様に、ＴＣＰ／ＩＰに基づき通信可能で、個別にＩＰアドレスを有する複数の固定式通信機能付電波受発信機１４１から１６８までが設置されている。固定式通信機能付電波受発信機１４１から１６８までは、サーバ装置０２１と、ＩＰネットワークを介して例えば常時接続状態にある。固定式通信機能付電波受発信機１４１から１６８までは、例えば、コース上に、例えば常時、くまなく電波を発信する。換言すれば、コース上にくまなく電波網が形成される位置に複数の固定式通信機能付電波受発信機を設置する。また、ゴルフボール内には、機能を有する複数の受発信機群所有者情報を書き込み可能なＲＦＩＤチップを内蔵する。
【００３２】
図５は、スコア入力・順位表作成システムのフローであり、プレーヤ００２が、携帯型移動無線ＩＰ通信端末０１１を携帯してプレーを行い、同様に、携帯型移動無線ＩＰ通信端末０１２から０１５までを携帯するプレーヤ００３から００６までが同時にプレーする場合の処理の流れを示すフローである。例えば、プレーヤ００２が第１ホールを終えて自己の打数を端末０１１に入力すると、例えば、端末０１１内にインストールされているアプリケーションソフトウエアによって、ハンディキャップ計算等が行われ、スコアデータ３０１が自動的に作成できる。
【００３３】
スコアデータ３０１は、携帯型移動無線ＩＰ通信端末０１１から、最寄りの無線中継基地局を経由してゴルフ施設運営者０１１が所有するサーバ装置０２１に送信される。その際、サーバ装置０２１は、携帯型移動無線ＩＰ通信端末０１１が保有するＩＰアドレス情報からスコアデータ３０１の送信元を識別する。同様に、プレーヤ００３〜００６が持つ携帯型移動無線ＩＰ通信端末０１２から０１５までも、第１ホール終了後に入力したスコアデータ３０２〜３０５が送信される。
【００３４】
サーバ装置０２１は、スコアデータ３０１から３０５までを、プレーヤのスコアの優劣順に順位付けし、総合順位表データ３１１を作成する。また、スコアデータ３０１から３０５までは、送信元の携帯型移動無線ＩＰ通信端末０１１から０１５までのＩＰアドレス情報を識別しているので、任意のグループに区分したグループ別順位表データ３１２を作成できる。例えば、プレーヤ００２から００４までをＡグループ、プレーヤ００５及び００６をＢグループとした場合、グループ別順位表データ３１２Ａと、グループ別順位表データ３１２Ｂとの２種類のグループ別順位表データも作成できる。
【００３５】
総合順位表データ３１１と、グループ別順位表データ３１２Ａ、３１２Ｂとは、サーバ装置０２１内に記録された後、プレーヤ００２から００６までが携帯する携帯型移動無線ＩＰ通信端末０１１から０１５までに発信される。グループ別順位表データ３１２Ａ、３１２Ｂの場合は、携帯型移動無線ＩＰ通信端末０１１から０１５までがそれぞれ持つＩＰアドレスに基づき、グループ別順位表データ３１２ＡはＡグループの端末０１１から０１３に、３１２ＢはＢグループの端末０１４から０１５に発信される。
【００３６】
以上の手順が、第２ホール以降も繰り返され、サーバ装置０２１内の総合順位表データ３１１、グループ別順位表データ３１２Ａ、３１２Ｂは、その度毎に更新される。上記の手順を最終ホールまで繰り返すと、総合順位表データ３１１とグループ別順位表データ３１２Ａ、３１２Ｂとにより、最終的なスコア順位結果が完成し、サーバ装置０２１内に記録される。記録されたそれぞれのデータは、サーバ装置０２１に接続されたプリンタから紙媒体で出力することも可能であるし、各プレーヤが自宅等で所有しているＩＰネットワークに接続可能なコンピュータ端末に送信することもできる。
【００３７】
図６は、コース状況の情報配信方法の処理手順を示すフローチャート図である。ゴルフ施設運営者００１が、サーバ装置０２１に、天候（降雨・落雷など）、コース毎の風速、風向き、花粉飛散状況、グリーンの芝状態、カップ位置等、毎日変化する情報を入力し、またコース毎の攻略法、避難経路、ルールやマナーなど、定常的な情報を予め入力しておく。入力された情報は、サーバ装置０２１に記録される。プレーヤ００２から００７までが、携帯型移動無線ＩＰ通信端末０１１から０１５までを操作し、上記情報の取得を要求すると、サーバ装置０２１から、携帯型移動無線ＩＰ通信端末０１１から０１５までに対して送信される。
【００３８】
図７は画像データ配信処理の流れを示すフローチャート図であり、例として、ティショットグラウンドにおけるプレーヤの画像撮影・販売方法を示す。固定式無線通信ＩＰカメラ群１２１から１３８までを撮影した画像４０１から４１８までが、サーバ装置０２１に常時配信される。サーバ装置０２１は、画像データ４０１から４１８までの中から、プレーヤがスイングする動作を画像解析し、スイング前後１０秒間程度の動画像データを抽出して、サーバ装置０２１内に記録、蓄積する。
【００３９】
サーバ装置０２１は、固定式無線通信ＩＰカメラ群１２１から１３８までのＩＰアドレス情報から、画像毎にどのホールを撮影したものを把握することができるため、撮影した時間、撮影したホール名の見出し情報を画像データに付加し、画像データ群を一覧化することができる。一覧化した画像データ群は、サーバ装置０２１に接続された外部ディスプレイ端末に表示される。プレーヤは、外部ディスプレイ端末上の画像一覧から任意の画像を検索し所望の画像データを選択する操作を行うことで、別途記録メディア等に画像を保存することができる。プレーヤが画像データを選択する選択操作を行い、これに対してそのプレーヤに課金する。
【００４０】
図８は、プレーヤの有無の検知・連絡システムにおける処理の流れを示すフローチャート図である。図８に示すシステムは、固定式無線通信ＩＰカメラ１２１から１３８までによるプレーヤ有無の検知・連絡システムである。サーバ装置０２１には、各ティショットグランドの画像４０１から４１８までが送信されており、各ティショットグランドは、常時監視状態にある。サーバ装置０２１は、固定式無線通信ＩＰカメラ１２１から１３８までのそれぞれのＩＰアドレス情報から、画像４０１から４１８までが、それぞれどのホールのティショットグランドを写したものかを把握することができる。サーバ装置０２１は、画像４０１から４１８までと画像解析手段とによりティショットグランドにおけるプレーヤや人物の有無を検知し、プレーヤが携帯する携帯型移動無線ＩＰ通信端末０１１から０１５までに、プレーヤの存在情報（ホールの空き情報）を配信する。プレーヤは、次のホールの空き情報等を確認することができる。
【００４１】
図９に、ゴルフボールの位置把握システムにおける処理の流れを示すフローチャート図である。図９に示すように、サーバ装置０２１には、固定式通信機能付電波受発信機１４１から１６８までの設置位置を予め登録してあり、コース上に常に電波を発信している。また、ゴルフボール内部には予めプレーヤ００２が所有者情報を書き込んだＲＦＩＤが内蔵してある。プレーヤ００２がゴルフボールを打つと、落ちた先に最も近いところにある電波受発信機１６８からの電波を受信し、内部のＲＦＩＤチップが共振して、電波受発信機１６８はゴルフボールの所有者情報を受信する。
【００４２】
電波受発信機１６８は、サーバ装置０２１にデータを送信する。サーバ装置０２１は、データの発信源を、電波受発信機１６８が有するＩＰアドレス情報に基づき送信源を識別し、送信源の位置からゴルフボールまでのおよその位置を把握し、プレーヤ００２が携帯する携帯型移動無線ＩＰ通信端末０１１に位置情報を送信する。携帯型移動無線ＩＰ通信端末０１１は、受信した該位置情報から表示部におけるコース図上にゴルフボールの位置を示す。
【００４３】
以上、本発明の一実施の形態による情報サービスシステムによれば、現在は主として紙に記入しているスコア情報を、プレーヤが個々に携帯する携帯型移動無線ＩＰ通信端末に電子的に入力することにより、初心者でも記入を容易にする。また、無線ＬＡＮを活用した情報通信システムにより、スコアデータを、サーバ装置を介して他プレーヤと送受信することにより、プレーヤ間のスコア情報交換が可能となる。
【００４４】
さらに、スコアを電子的に管理することで、別途プレーヤの順位表を作成する手間を省くことができ、誤記の防止にも寄与する。ボール位置、混雑状況等もプレーヤが持つ携帯型移動無線ＩＰ通信端末へ配信することで、プレーヤは状況の変化に迅速に対応でき、ボールを探す手間の軽減やボール紛失率の低減、プレー速度の向上を図ることができるとともに、サービス向上にもつながる。
【００４５】
さらに、ゴルフ施設側があらかじめ設置したカメラによって無人で撮影し、必要な画像を記録メディア等に保存し販売することにより、プレーヤが個人で機材を持ち込んだり、撮影したりする労力を軽減するとともに、ゴルフ施設側は画像販売などの新規サービス創出につながり、収入拡大に寄与するという利点がある。
【００４６】
以上、本実施の形態に沿って説明したが、本発明はこれらの例に限定されるものではなく、種々の変形が可能であるのは言うまでもない。本実施の形態による情報サービスシステムは、他の郊外型施設などにおいても活用が可能である。
【００４７】
【発明の効果】
本発明による情報通信システムを用いると、情報の入力や情報交換が簡単になる。
【図面の簡単な説明】
【図１】本発明の一実施の形態による情報通信システムの構成例１を示す図である。
【図２】本発明の一実施の形態による情報通信システムの構成例２を示す図である。
【図３】本発明の一実施の形態による情報通信システムにおける無線中継基地局等の設置例を示す平面図である。
【図４】本発明の一実施の形態による情報通信システムにおける固定式電波受発信機の設置例を示す平面図である。
【図５】本発明の一実施の形態による情報通信システムにおけるスコア入力・順位表作成システムの処理の流れを示すフローチャート図である。
【図６】本発明の一実施の形態による情報通信システムにおける各種情報配信システムの処理の流れを示すフローチャート図である。
【図７】本発明の一実施の形態による情報通信システムにおける画像データ配信処理の流れを示すフローチャート図である。
【図８】本発明の一実施の形態による情報通信システムにおけるプレーヤ有無の検知・連絡システムの処理の流れを示すフローチャート図である。
【図９】本発明の一実施の形態による情報通信システムにおけるゴルフボールの位置把握システムの処理の流れを示すフローチャート図である。
【符号の説明】
００１…ゴルフ施設運営者、０２１…サーバ装置、０１１〜０１５…携帯型移動無線ＩＰ通信端末、１０１〜１１３…無線中継基地局、１２１〜１３８…固定式無線通信機能付ＩＰカメラ、１４１〜１６８…固定式通信機能付電波受発信機。
【図１】
2004097381.tif 000003
【図２】
2004097381.tif 000004
【図３】
2004097381.tif 000005
【図４】
2004097381.tif 000006
【図５】
2004097381.tif 000007
【図６】
2004097381.tif 000008
【図７】
2004097381.tif 000009
【図８】
2004097381.tif 000010
【図９】
2004097381.tif 000011